【手続補正書】
【提出日】平成19年1月31日(2007.1.31)
【手続補正１】
【補正対象書類名】明細書
【補正対象項目名】特許請求の範囲
【補正方法】変更
【補正の内容】
【特許請求の範囲】
【請求項１】  アルカリ金属、および／またはアルカリ土類金属および／または希土類の１つ以上のケイ酸塩にもとづく化合物を、シリカと、該アルカリ金属および／または該アルカリ土類金属および／または該希土類の、ハロゲン化物または硫酸塩または硝酸塩との転化によって製造する方法において、この転化のために必要な熱が、１つ以上の浸漬バーナによって、少なくとも部分的に供給されることを特徴とする、化合物の製造方法。
【請求項２】  アルカリ金属はＮａおよびＫからなる群から選択され、アルカリ土類金属はＣａおよびＭｇからなる群から選択され、希土類はＣｅであることを特徴とする請求項１に記載の方法。
【請求項３】  アルカリ金属、および／またはアルカリ土類金属および／または希土類の１つ以上のケイ酸塩にもとづく化合物はこれらの元素の少なくとも２つを組み合わせる混合ケイ酸塩の形の化合物であることを特徴とする請求項１または２に記載の方法。
【請求項４】  ハロゲン化物は塩化物であることを特徴とする請求項１〜３のいずれか１項に記載の方法。
【請求項５】  該塩化物はＮａＣｌ、ＫＣｌもしくはＣｅＣｌ４からなる群から選択されることを特徴とする請求項４に記載の方法。
【請求項６】  浸漬バーナが、空気、酸素富化空気もしくは酸素の形の酸化剤を供給されることを特徴とする、請求項１〜５のいずれかに記載の方法。
【請求項７】  浸漬バーナが、天然ガス、燃料油もしくは水素の形の燃料を供給されること、および／または固体型もしくは液体型燃料が該バーナの近くに供給されることを特徴とする、請求項１〜６のいずれかに記載の方法。
【請求項８】  固体型もしくは液体型燃料がポリマーまたは石炭を主原料とする炭素材料を含む燃料であることを特徴とする、請求項７に記載の方法。
【請求項９】  ポリマーが塩素化ポリマーであることを特徴とする、請求項８に記載の方法。
【請求項１０】  少なくとも部分的に浸漬バーナによって作られる燃焼が、シリカおよびハロゲン化物の撹拌を確実にすることを特徴とする、請求項１〜９のいずれかに記載の方法。
【請求項１１】  少なくとも部分的に浸漬バーナによって作られる燃焼が、転化に必要とされる水を生成することを特徴とする、請求項１〜１０のいずれかに記載の方法。
【請求項１２】  転化が、ハロゲン化誘導体をさらに生成することを特徴とする、請求項１〜１１のいずれかに記載の方法。
【請求項１３】  ハロゲン化誘導体は利用しうる塩化誘導体であることを特徴とする、請求項１２に記載の方法。
【請求項１４】  塩化誘導体がＨＣｌもしくはＣｌ２、またはＨ２ＳＯ４であることを特徴とする、請求項１３に記載の方法。
【請求項１５】  生成されるケイ酸塩が、ガラス炉用の１つ以上のガラス化しうるバッチ原料としての使用に適合しうるようにするために処理されることを特徴とする、請求項１〜１４のいずれかに記載の方法。
【請求項１６】  処理は粒状化ステップを含んでいることを特徴とする、請求項１５に記載の方法。
【請求項１７】  生成されるケイ酸塩が、ガラス炉に熱間供給されることを特徴とする、請求項１〜１４のいずれかに記載の方法。
【請求項１８】  ガラス製造用のガラス化しうるバッチ原料を製造するための、請求項１〜１７のいずれかに記載の方法。
【請求項１９】  界面活性剤製造用の原料を製造するための、請求項１〜１７のいずれかに記載の方法。
【請求項２０】  該原料がケイ酸ナトリウムＮａ２ＳｉＯ３であることを特徴とする、請求項１９に記載の方法。
【請求項２１】  沈降シリカの製造用原料を製造するための、請求項１〜１７のいずれかに記載の方法。
【請求項２２】  該原料がケイ酸ナトリウムＮａ２ＳｉＯ３であることを特徴とする、請求項２１に記載の方法。
【請求項２３】  シリカおよび硫酸ナトリウムから、該原料を製造することを特徴とする、請求項２１または２２に記載の方法。
【請求項２４】  廃棄物をガラス化するための、請求項１〜１７のいずれかに記載の方法。
【請求項２５】  廃棄物は有機塩素型の廃棄物であることを特徴とする、請求項２４に記載の方法。
【請求項２６】  シリカと少なくともアルカリ土類金属を含む原料との転化によって、ガラス化することを特徴とする、請求項２４または２５に記載の方法。
【請求項２７】  燃料で汚染された砂を処理するための、請求項１〜１７のいずれかに記載の方法。
【請求項２８】  汚染が燃料のかわりに、炭化水素化合物によることを特徴とする、請求項２７に記載の方法。
【請求項２９】  シリカと少なくともアルカリ土類金属とを含む原料の転化によって、処理が行われることを特徴とする、請求項２７または２８に記載の方法。
【請求項３０】  １つ以上の浸漬バーナ（３）、ならびにシリカおよび／またはハロゲン化物もしくは硝酸塩もしくは硫酸塩を、溶融を受ける原料の水準よりも下で導入するための少なくとも１つの手段を備えてなる少なくとも１つの反応器（１）からなることを特徴とする、請求項１〜１７のいずれかに記載の方法を実施するための装置。
【請求項３１】  該導入するための少なくとも１つの手段が任意に液体もしくは固体型可燃物を導入することを特徴とする、請求項３０に記載の装置。
【請求項３２】  該導入するための少なくとも１つの手段が１つ以上の供給スクリューバッチ投入器（６）の形態であることを特徴とする、請求項３０または３１に記載の装置。
【請求項３３】  反応器（１）の壁（２，４）が、耐火材料、またはチタンもしくはジルコニウム型の金属ライニングで内張りされた耐火材料を備え、またはこれらのタイプの金属にもとづいていることを特徴とする、請求項３０〜３２のいずれかに記載の装置。
【請求項３４】  反応器（１）の壁（２，４）が転化に関する種々の反応物／反応生成物と接触するようにされていることを特徴とする、請求項３３に記載の装置。
【請求項３５】  耐火材料が電鋳型であることを特徴とする、請求項３３または３４に記載の装置。
【請求項３６】  反応器（１）の壁（２，４）が、少なくとも側壁（４）に関して、水タイプの流体の循環を用いる冷却システムと結合されていることを特徴とする、請求項３３〜３５のいずれかに記載の装置。
【請求項３７】  反応器（１）の壁が、およそ立方体、平行六面体もしくは円筒形キャビティを画定していることを特徴とする、請求項３０〜３６のいずれかに記載の装置。
【請求項３８】  反応器（１）が、塩化流出物を処理するための手段、および／または固体粒子を気相流出物から分離するための手段を備えてなることを特徴とする、請求項３０〜３７のいずれかに記載の装置。
【請求項３９】  塩化流出物を処理するための手段が、ＨＣｌもしくはＣｌ２もしくはＨ２ＳＯ４を回収するための手段、またはＨＣｌを中和するための手段であることを特徴とする、請求項３８に記載の装置。
【請求項４０】  固体粒子が金属塩化物にもとづく固体粒子であることを特徴とする、請求項３８または３９に記載の装置。
【請求項４１】  ガラス製造用のガラス化しうるバッチ原料を製造するための、請求項３０〜４０のいずれかに記載の装置の使用。
【請求項４２】  界面活性剤製造用の原料を製造するための、請求項３０〜４０のいずれかに記載の装置の使用。
【請求項４３】  該原料がケイ酸ナトリウムＮａ２ＳｉＯ３であることを特徴とする、請求項４２に記載の装置の使用。
【請求項４４】  沈降シリカの製造用原料を製造するための、または請求項３０〜４０のいずれかに記載の装置の使用。
【請求項４５】  該原料がケイ酸ナトリウムＮａ２ＳｉＯ３であることを特徴とする、請求項４４に記載の装置の使用。
【請求項４６】  シリカおよび硫酸ナトリウムから、該原料を製造することを特徴とする、請求項４４または４５に記載の装置の使用。
【請求項４７】  廃棄物をガラス化するための、請求項３０〜４０のいずれかに記載の装置の使用。
【請求項４８】  廃棄物は有機塩素型の廃棄物であることを特徴とする、請求項４７に記載の装置の使用。
【請求項４９】  シリカと少なくともアルカリ土類金属を含む原料との転化によって、ガラス化することを特徴とする、請求項４７または４８に記載の装置の使用。
【請求項５０】  燃料で汚染された砂を処理するための、請求項３０〜４０のいずれかに記載の装置の使用。
【請求項５１】  汚染が燃料のかわりに、炭化水素化合物によることを特徴とする、請求項５０に記載の装置の使用。
【請求項５２】  シリカと少なくともアルカリ土類金属とを含む原料の転化によって、処理が行われることを特徴とする、請求項５０または５１に記載の装置の使用。
【請求項５３】  シリカと、Ｎａ２ＯもしくはＫ２Ｏの型のアルカリ金属酸化物および／またはＣａＯもしくはＭｇＯ型のアルカリ土類金属酸化物および／またはＣｅＯ２型の希土類酸化物とを含むガラスを、ガラス化しうる原料の溶融によって得、ここで該溶融のために必要とされる熱を少なくとも部分的に浸漬バーナによって供給する、ガラスの製造方法において、ＮａもしくはＫ型のアルカリ金属、またはＣｅ型の希土類、またはアルカリ土類金属を含む、ガラス化しうる原料が、少なくとも部分的に、該元素のハロゲン化物、硫酸塩または硝酸塩の形であることを特徴とする、ガラスの製造方法。
【請求項５４】  ハロゲン化物が塩化物であることを特徴とする、請求項５３に記載のガラスの製造方法。
【請求項５５】  塩化物または硫酸塩がＮａＣｌ、ＫＣｌ、ＣｅＣｌ４、Ｎａ２ＳＯ４であることを特徴とする、請求項５３または５４に記載のガラスの製造方法。